(57)【要約】【課題】装置内部に付着した生コンクリートを容易に洗浄することができる汚水回収装置及び汚水回収方法を提供する。【解決手段】  汚水回収装置２００は、シュートから排出された汚水を収容する汚水収容部２０１と、ミキサー車の車体に設けられたタンクから汚水収容部２０１に洗浄水を供給する洗浄水供給部２０６とを備える。洗浄水供給部２０６は、汚水収容部２０１の上面に取り付けられた噴射ノズル２１１を備える。噴射ノズル２１１の下方には、拡散部２１２が配置される。噴射ノズル２１１から噴射された洗浄水が拡散部２１２に衝突して拡散し、汚水収容部２０１の内部が洗浄される。【選択図】図７
2017030260.tif 000002
【特許請求の範囲】
【請求項１】
アジテータトラックのシュートを洗浄したときに発生する汚水を回収する汚水回収装置であって、
前記アジテータトラックの車体に取り付けられ、前記シュートから排出される汚水を収容する箱状の汚水収容部と、
前記車体に設けられたタンクから、前記汚水収容部の内部を洗浄するための洗浄水を前記汚水収容部に供給する洗浄水供給部と、
を備える、
汚水回収装置。
【請求項２】
前記汚水収容部に設けられた排出口と、
前記汚水収容部内に高圧力水を供給することにより、前記洗浄水供給部から前記汚水収容部に供給された洗浄水を前記排出口から強制的に排出する強制排出部とを
さらに備える、請求項１に記載の汚水回収装置。
【請求項３】
前記汚水収容部の底面は傾斜しており、
前記排出口は、前記汚水収容部の底面の最も低い位置の近傍に設けられ、
前記強制排出部は、前記汚水収容部の底面が高い位置から低い位置に向けて高圧力水を供給するように構成されている、
請求項２に記載の汚水回収装置。
【請求項４】
前記汚水収容部の内部において、前記洗浄水供給部によって供給された洗浄水を拡散させるように構成されている、
請求項１乃至３の何れかに記載の汚水回収装置。
【請求項５】
前記洗浄水供給部から供給された洗浄水が衝突することにより、前記洗浄水を拡散させる拡散部を前記汚水収容部の内部に備える、
請求項４に記載の汚水回収装置。
【請求項６】
前記拡散部は、水平方向に扁平な板状をなす、
請求項５に記載の汚水回収装置。
【請求項７】
前記拡散部は、円形又は一部が欠落した円形の板であり、
前記洗浄水供給部は、前記拡散部の円形の中央に前記洗浄水を供給するように構成されている、
請求項６に記載の汚水回収装置。
【請求項８】
前記洗浄水供給部は、前記汚水収容部の水平方向中央から偏った位置に前記洗浄水を供給するように構成されており、
前記拡散部は、前記汚水収容部の内部において、前記偏った位置に配置されている、
請求項５乃至７の何れかに記載の汚水回収装置。
【請求項９】
前記汚水収容部に汚水を導入するための汚水導入部をさらに備え、
前記汚水導入部は、前記汚水収容部の水平方向中央から前記偏った位置側に、汚水を導入するように構成されている、
請求項８に記載の汚水回収装置。
【請求項１０】
アジテータトラックのシュートを洗浄したときに発生する汚水を回収する汚水回収方法であって、
前記アジテータトラックの車体に取り付けられた箱状の汚水収容部に、前記シュートから排出される汚水を収容するステップと、
前記汚水収容部に設けられた排出口から汚水を排出するステップと、
を有し、
前記汚水を排出するステップでは、前記車体に設けられたタンクから前記汚水収容部の内部に洗浄水を供給しつつ、前記排出口から汚水を排出する、
汚水回収方法。
【発明の詳細な説明】
【技術分野】
【０００１】
本発明は、ミキサー車におけるシュートに付着した生コンクリート等を洗浄したときに発生する汚水を回収する汚水回収装置及び汚水回収方法に関する。
【背景技術】
【０００２】
アジテータトラック（以下、「ミキサー車」という）のミキシングドラムからレディーミクストコンクリート（以下、「生コンクリート」という）を排出した後、シュートに付着した生コンクリートの硬化及び固結を防止するために作業現場において速やかに洗浄が行われる。
【０００３】
特許文献１には、ミキサー車のシャーシフレームに固定された箱体に、シュートが洗浄されたときに発生する汚水を収容する汚水収容装置が記載されている。この汚水収容装置では、箱体の上部にホッパを設けて、このホッパによりシュートの後端から排出される汚水を受け、箱体の中に導入する。
【先行技術文献】
【特許文献】
【０００４】
【特許文献１】特開２００７−２１０１０３号公報
【発明の概要】
【発明が解決しようとする課題】
【０００５】
特許文献１に記載された汚水収容装置では、箱体の内壁に汚水に含まれる生コンクリートが付着することがあり、内壁に付着した生コンクリートが硬化すると、装置が破損したり収容容積が減ったりしてしまうという問題があった。
【０００６】
本発明は斯かる事情に鑑みてなされたものであり、その主たる目的は、装置内部を容易に洗浄することができる汚水回収装置及び汚水回収方法を提供することにある。
【課題を解決するための手段】
【０００７】
上述した課題を解決するために、本発明の一の態様の汚水回収装置は、アジテータトラックのシュートを洗浄したときに発生する汚水を回収する汚水回収装置であって、前記アジテータトラックの車体に取り付けられ、前記シュートから排出される汚水を収容する箱状の汚水収容部と、前記車体に設けられたタンクから、前記汚水収容部の内部を洗浄するための洗浄水を前記汚水収容部に供給する洗浄水供給部と、を備える。
【０００８】
この態様において、前記汚水回収装置は、前記汚水収容部に設けられた排出口と、前記汚水収容部内に高圧力水を供給することにより、前記洗浄水供給部から前記汚水収容部に供給された洗浄水を前記排出口から強制的に排出する強制排出部とを、さらに備えてもよい。
【０００９】
この態様において、前記汚水回収装置は、前記汚水収容部の底面は傾斜しており、前記排出口は、前記汚水収容部の底面の最も低い位置の近傍に設けられ、前記強制排出部は、前記汚水収容部の底面が高い位置から低い位置に向けて高圧力水を供給するように構成されていてもよい。
【００１０】
この態様において、前記汚水回収装置は、前記汚水収容部の内部において、前記洗浄水供給部によって供給された洗浄水を拡散させるように構成されていてもよい。
【００１１】
また、上記態様において、前記汚水回収装置は、前記洗浄水供給部から供給された洗浄水が衝突することにより、前記洗浄水を拡散させる拡散部を前記汚水収容部の内部に備えてもよい。
【００１２】
また、上記態様において、前記拡散部は、水平方向に扁平な板状をなしてもよい。
【００１３】
また、上記態様において、前記拡散部は、円形又は一部が欠落した円形の板であり、前記洗浄水供給部は、前記拡散部の円形の中央に前記洗浄水を供給するように構成されていてもよい。
【００１４】
また、上記態様において、前記洗浄水供給部は、前記汚水収容部の水平方向中央から偏った位置に前記洗浄水を供給するように構成されており、前記拡散部は、前記汚水収容部の内部において、前記偏った位置に配置されていてもよい。
【００１５】
また、上記態様において、前記汚水回収装置は、前記汚水収容部に汚水を導入するための汚水導入部をさらに備え、前記汚水導入部は、前記汚水収容部の水平方向中央から前記偏った位置側に、汚水を導入するように構成されていてもよい。
【００１６】
本発明の一の態様の汚水回収方法は、アジテータトラックのシュートを洗浄したときに発生する汚水を回収する汚水回収方法であって、前記アジテータトラックの車体に取り付けられた箱状の汚水収容部に、前記シュートから排出される汚水を収容するステップと、前記汚水収容部に設けられた排出口から汚水を排出するステップと、を有し、前記汚水を排出するステップでは、前記車体に設けられたタンクから前記汚水収容部の内部に洗浄水を供給しつつ、前記排出口から汚水を排出する。
【発明の効果】
【００１７】
本発明に係る汚水回収装置及び汚水回収方法によれば、汚水収容部の内壁に付着した生コンクリートを、容易に、しかも水栓がない場所でも洗浄することができる。
【図面の簡単な説明】
【００１８】
【図１】実施の形態１に係る汚水回収装置を搭載したミキサー車の平面図。
【図２】実施の形態１に係る汚水回収装置を搭載したミキサー車の側面図。
【図３】実施の形態１に係る汚水回収装置の構成を示す平面図。
【図４】実施の形態１に係る汚水回収装置の構成を示す正面図。
【図５】実施の形態１に係る汚水回収装置の構成を示す右側面図。
【図６】図４に示すＡ−Ａ線における断面矢視図。
【図７】図３に示すＢ−Ｂ線における断面矢視図。
【図８】図４に示すＣ−Ｃ線における断面矢視図。
【図９】実施の形態２に係る汚水回収装置の構成を示す断面図。
【図１０】他の実施の形態に係る汚水回収装置の構成の一例を示す正面断面図。
【発明を実施するための形態】
【００１９】
以下、本発明の好ましい実施の形態を、図面を参照しながら説明する。
【００２０】
（実施の形態１）
図１は実施の形態１に係る汚水回収装置を搭載するミキサー車の平面図であり、図２はその側面図である。以下の説明においては、ミキサー車１００の進行方向を「前方」、その反対方向を「後方」、進行方向に向かって右方を「右方」、進行方向に向かって左方を「左方」という。
【００２１】
ミキサー車１００は、ミキシングドラム１１０とシュート１１１とを備えている。図１に示すように、シュート１１１は水平方向に揺動可能である。ミキシングドラム１１０に収容された生コンクリートは、シュート１１１を通じて排出される。シュート１１１の先端には、着脱式の汚水受ホッパ１１２が設けられている。汚水受ホッパ１１２は、板状をなしており、シュート１１１の先端を閉塞可能である。生コンクリートを排出するときには、汚水受ホッパ１１２がシュート１１１の先端から取り外され、シュート１１１の先端から生コンクリートが排出可能となる。生コンクリートを排出しないときには、汚水受ホッパ１１２がシュート１１１の先端に取り付けられ、シュート１１１の先端が汚水受ホッパ１１２によって閉塞される。
【００２２】
汚水受ホッパ１１２には、可撓性を有するホース１１３が接続されている。汚水受ホッパ１１２のホース１１３との接続部は開口しており、シュート１１１の内側の領域とホース１１３の内部とは連通している。
【００２３】
シュート１１１を洗浄するとき、汚水受ホッパ１１２がシュート１１１の先端に取り付けられる。シュート１１１を洗浄したときに生じる汚水は、シュート１１１からホース１１３へと送られる。
【００２４】
なお、汚水受ホッパ１１２は、着脱式ではなく、開閉式であってもよい。また、板状の汚水受ホッパ１１２ではなく、汚水受け用の容器をシュート１１１の先端下方に設けてもよい。この場合、容器の底部等にホース１１３を接続し、容器で受けた汚水がホース１１３内に送られるようにする。
【００２５】
ホース１１３は、汚水回収装置２００に接続される。汚水回収装置２００は、ミキサー車１００のシャーシフレーム１５０の後端部に固定される。
【００２６】
ミキサー車１００は、洗浄水を収容するタンク１１４と、ポンプ１１５とを備えている。タンク１１４とポンプ１１５とはチューブ１１６によって接続されている。また、ポンプ１１５は、チューブ１１７によって汚水回収装置２００に接続されている。ポンプ１１５によって、タンク１１４に収容された洗浄水が汚水回収装置２００に供給可能となっている。
【００２７】
図３は実施の形態１に係る汚水回収装置２００の構成を示す平面図であり、図４はその正面図であり、図５はその右側面図である。
【００２８】
汚水回収装置２００は、図４に示す正面側が後方を向くようにして、シャーシフレーム１５０に取り付けられる。汚水回収装置２００は、箱状の汚水収容部２０１を備えている。この汚水収容部２０１は、前後方向の長さが短く、左右方向の長さが長い直方体である。かかる汚水収容部２０１の正面と上面とを繋ぐ角部であって、左右方向中央より左側に偏った位置には、汚水導入用のホース１１３が接続されている。
【００２９】
汚水収容部２０１の上面中央部は、平面視において四角の筒状に立ち上がった点検窓２０２が設けられている。点検窓２０２の上端は開口しており、その開口部には開閉式の蓋２０３が取り付けられている。蓋２０３の正面側（後側）にはヒンジ２０４が設けられており、このヒンジ２０４によって蓋２０３は左右方向に延びる回動軸を中心として回動可能となっている。この回動動作によって、蓋２０３は開閉することができる。また、蓋２０３の裏側（前側）には、ロック機構２０５が設けられている。ロック機構２０５は、蓋２０３が閉じた状態でロックし、またロックを解除することが可能である。
【００３０】
汚水回収装置２００に汚水を回収する場合、ロック機構２０５によって蓋２０３がロックされた状態とする。これにより、汚水が汚水収容部２０１から漏れることが防止される。また、ユーザは、ロック機構２０５のロックを解除して、蓋２０３を開くことで、点検窓２０２から汚水収容部２０１の内部を点検したり、メンテナンスしたりすることができる。
【００３１】
汚水収容部２０１の上面において、点検窓２０２の左側の位置には、ポンプ１１５から延設されたチューブ１１７の先端に洗浄水供給部２０６が設けられている。つまり、チューブ１１７は、汚水収容部２０１の上面の水平方向中央から左側に偏った位置に接続されており、この位置から汚水収容部２０１の内部に洗浄水を供給可能に構成されている。洗浄水供給部２０６には、開閉弁が内蔵されており、この開閉弁を操作するためのレバー２０７が設けられている。
【００３２】
また、汚水収容部２０１の右側面には、収容された汚水を排出するための汚水排出部２０８が設けられている。汚水排出部２０８はバタフライ弁２０９を備えている。ユーザがバタフライ弁２０９のレバー２１０を操作することで、バタフライ弁２０９が開閉する。バタフライ弁２０９が閉じられているときには、汚水収容部２０１に収容された汚水が排出されず、バタフライ弁２０９が開いているときには、汚水収容部２０１に収容された汚水が排出される。
【００３３】
次に、汚水収容部２０１の内部構造について説明する。図６は図４に示すＡ−Ａ線における断面矢視図であり、図７は図３に示すＢ−Ｂ線における断面矢視図であり、図８は図４に示すＣ−Ｃ線における断面矢視図である。
【００３４】
洗浄水供給部２０６は、噴射ノズル２１１を備えている。噴射ノズル２１１は汚水収容部２０１の上板から内部に突出している。これにより、ポンプ１１５から供給された高圧の洗浄水が噴射ノズル２１１によって下方に噴射可能となっている。
【００３５】
噴射ノズル２１１の下方には、拡散部２１２が設けられている。拡散部２１２は、水平方向に扁平な板状部材である。拡散部２１２は、平面視において左側の一部が欠落した円形、即ちＤ字状をなしている。
【００３６】
拡散部２１２は、支持部２１３によって汚水収容部２０１の内部で支持される。支持部２１３は、噴射ノズル２１１を囲むようにして汚水収容部２０１の上板に吊り下げられるブラケット２１４と、ブラケット２１４から下方に延びる３つの柱状部２１５とを備えている。各柱状部２１５の下端部分に拡散部２１２が固定されており、これにより、拡散部２１２が懸垂状態で支持される。
【００３７】
噴射ノズル２１１は、拡散部２１２の円形の中心２５０の直上に配置されている。このため、噴射ノズル２１１からは、拡散部２１２の円の中心２５０へと洗浄水が噴射される。
【００３８】
また、汚水収容部２０１の下部には、底板２１６が設けられている。底板２１６は、側面視においてＶ字状に屈曲されており、屈曲谷部２１８が汚水収容部２０１の前後方向中央に位置するように配置されている。また、底板２１６は、左側が高く、右側が低くなるように傾斜して配置されている。
【００３９】
汚水収容部２０１の右側面の下部には、排出口２１７が設けられており、この排出口２１７に汚水排出部２０８が取り付けられている。排出口２１７は、底板２１６の右端における屈曲谷部２１８の直上に位置しており、排出口２１７と、底板２１６との間にはほとんど隙間がないようになっている。これにより、汚水の排出時には、汚水が底板２１６の屈曲谷部２１８に集まり、集まった汚水が屈曲谷部２１８を右側に流れて、汚水が効率的に汚水排出部２０８から排出される。また、この流れにより、底板２１６に堆積した生コンクリートの排出が促進される。
【００４０】
上記のような構成の汚水回収装置２００の動作について説明する。作業現場等でシュート１１１を洗浄するとき、ユーザは汚水受ホッパ１１２をシュート１１１の先端に取り付け、シュート１１１に洗浄液を供給する。これにより、シュート１１１から汚水がホース１１３へと排出される。
【００４１】
汚水はホース１１３を通じて汚水収容部２０１に回収される。このとき、汚水排出部２０８のバタフライ弁２０９を閉じた状態とする。これにより、汚水収容部２０１に汚水が貯留される。
【００４２】
噴射ノズル２１１の後方において、ホース１１３の端部が開口している。上述したように、ホース１１３は、汚水収容部２０１の正面（つまり、後面）において、左右方向中央から左側に偏った位置に接続されている。したがって、汚水収容部２０１には、内部空間の後側の位置であって、且つ、左右方向中央から左側に偏った位置にホース１１３から汚水が導入される。ホース１１３の開口端は、汚水収容部２０１の後側及び左側の内壁に近接しており、このため、ホース１１３から送出される汚水に含まれる生コンクリートが、汚水収容部２０１の後側及び左側の内壁に主に付着する。
【００４３】
シュート１１１の洗浄が終了すると、汚水回収装置２００に汚水を収容した状態で、ミキサー車を生コンクリート工場等に移動させ、汚水回収装置２００から汚水を排出する。汚水の排出時には、ユーザがバタフライ弁２０９を開く。汚水収容部２０１に収容された汚水は、上述したように効率的に汚水排出部２０８から排出される。
【００４４】
汚水排出と同時に、汚水収容部２０１の内部を洗浄する。このため、ユーザはポンプ１１５を動作させ、洗浄水供給部２０６の開閉弁を開く。これにより、ポンプ１１５からチューブ１１７を通じて洗浄水が汚水収容部２０１に供給される。
【００４５】
ポンプ１１５から送られる洗浄水は、噴射ノズル２１１から噴射される。噴射された高圧の洗浄水は、拡散部２１２の円形の中心２５０に衝突し、拡散される。このとき、拡散部２１２が水平方向に扁平な板状であるため、洗浄水は主に水平方向に放射状に拡散される。
【００４６】
噴射ノズル２１１及び拡散部２１２が汚水収容部２０１の左右方向中央より左側に配置されている。また、汚水収容部２０１は前後方向に長さが短いため、噴射ノズル２１１及び拡散部２１２と、前側内壁及び後側内壁との距離が短い。そのため、汚水収容部２０１の左側内壁、前側内壁の左側部分、後側内壁の左側部分には多量の洗浄水が供給される。したがって、汚水収容部２０１の後側及び左側の内壁に付着した生コンクリートを洗浄水によって効率的に除去することができる。
【００４７】
また、拡散部２１２は一部が欠落した円形の上面を有しており、その円形の中心２５０に洗浄水が噴射されるため、洗浄水の噴射位置である中心２５０から拡散部２１２の端部までの距離が一部を除いて一定である。拡散部２１２の表面を洗浄水が流れるとき、その距離が長ければ洗浄水の流れの勢いが衰えてしまう。上記のように、拡散部２１２の欠落部以外の部分では、その表面において洗浄水が流れる距離が一定であることから、拡散部２１２の表面を放射状に流れる洗浄水の勢いが偏ることがない。このため、汚水収容部２０１の内部を満遍なく洗浄することができる。
【００４８】
また、拡散部２１２の欠落した部分は、その他の円形の部分に比べて中心２５０から端部までの距離が短い。このため、この部分を流れる洗浄水は、他の部分を流れる洗浄水よりも勢いが衰えず、強い勢いを保ったまま端部から放出される。したがって、汚れの付着量が多い左側内壁に対向するように欠落部を設けたため、左側内壁に強い勢いで洗浄液を飛散させることができ、左側内壁を効率的に洗浄することができる。
【００４９】
汚水収容部２０１の内壁から除去された生コンクリートは、洗浄水と共に汚水排出部２０８から排出される。また、汚水収容部２０１の底板２１６に残留している生コンクリートも、傾斜している底板２１６上で左から右へと流れる洗浄水によって除去され、汚水排出部２０８から排出される。このようにして、汚水収容部２０１が洗浄される。
【００５０】
以上のように構成したことにより、汚水回収装置２００にあっては、ポンプ１１５から洗浄水を汚水収容部２０１に供給するだけで、汚水収容部２０１の内部に付着した生コンクリートを容易に洗浄することができる。このため、装置内部の洗浄作業におけるユーザの負担を軽減することができる。しかも、ミキサー車１００に設けられたタンク１１４から汚水収容部２０１へ洗浄水を供給するので、水栓がない場所でも洗浄作業を行うことが可能となる。したがって、ユーザは洗浄作業のためにミキサー車１００を水栓のある場所まで移動させる必要がなく、また、水栓が使用中であっても洗浄作業を行うことが可能となる。
【００５１】
（実施の形態２）
実施の形態２の汚水回収装置は、汚水収容部に供給された洗浄水を装置外部へ強制的に排出するための強制排出部を備えている。図９は、図７に相当する図であって、実施の形態２に係る汚水回収装置の構成を示す断面図である。図９に示すとおり、本実施の形態の汚水回収装置３００は汚水収容部３０１を備えており、その汚水収容部３０１の左側壁であって底板３１６の直上には、強制排出部３２０が左右方向に貫通するように取り付けられている。この強制排出部３２０は、洗浄水供給部３０６と同様の構成であり、噴射ノズル３２１を備えている。噴射ノズル３２１は、左側壁から右方下向きに傾斜して突出しており、右方下向きへ高圧力水を噴射可能となっている。なお、強制排出部３２０は、洗浄水供給部３０６と同様にチューブ１１７と接続されており、このチューブ１１７を介してポンプ１１５から水の供給を受けることができる。また、汚水排出部３０８は、底板３１６の傾斜角度と同様の角度で傾斜して設けられている。それ以外の構成については、実施の形態１の場合と同様であるので、対応する符号を付して説明を省略する。
【００５２】
上記のように構成された汚水回収装置３００の洗浄動作は以下のとおり行われる。ユーザはポンプ１１５を動作させ、洗浄水供給部３０６及び強制排出部３２０の開閉弁を開く。これにより、ポンプ１１５からチューブ１１７を通じて、洗浄水供給部３０６に洗浄水が供給される一方で、強制排出部３２０に強制排出用の水が供給される。この強制排出用の水は、強制排出部３２０の噴射ノズル３２１から高圧力水として噴射される。このとき、高圧力水は、噴射ノズル３２１の傾斜にしたがって右方下向きに、すなわち、汚水収容部３０１の底面が高い位置から低い位置に向けて噴射される。これにより、洗浄水供給部３０６から供給された洗浄水が汚水排出部３０８側に強制的に排出される。この洗浄水の排出に伴い、底板３１６に残留している生コンクリート及び洗浄水に含まれていた砂利・小石等も汚水排出部３０８側に排出される。なお、汚水排出部３０８は底板３１６と同様に傾斜しているため、上記の生コンクリート等をスムースに汚水排出部３０８側に排出することが可能になる。
【００５３】
以上のとおり、本実施の形態の汚水回収装置３００の場合、底板３１６上の残留物を容易に排出することができる。そのため、汚水収容部３０１の内部の洗浄を確実に行うことができる。
【００５４】
（その他の実施の形態）
なお、上述した実施の形態においては、噴射ノズル２１１から噴射された洗浄水を拡散部２１２によって拡散する構成について述べたが、これに限定されるものではない。噴射ノズル２１１が広角度に洗浄水を噴射することにより、洗浄水を拡散させる構成としてもよい。また、拡散部２１２は水平に扁平な板状に限られず、円錐、角錐、立方体、直方体、球形等、他の形状としてもよい。ただし、洗浄水を広く拡散させるためには、噴射ノズル２１１から噴射される洗浄水が衝突する上面を扁平にすることが好ましい。
【００５５】
また、上述した拡散部２１２を備えない構成とすることも可能である。その場合であっても、噴射ノズル２１１から噴射された洗浄水は汚水収容部２０１の内壁に衝突して汚水収容部２０１内に拡散されるため、汚水収容部２０１内を洗浄することができる。この場合、噴射ノズル２１１として、噴射角度が所定の範囲内で可変となる噴射ノズルを採用することも可能である。この構成の場合、噴射ノズル２１１から洗浄水が噴射されているときに噴射角度を適宜変更することによって、汚水収容部２０１内での洗浄水の拡散が促進されることになる。
【００５６】
また、上述した実施の形態においては、洗浄水供給部２０６及び拡散部２１２を一対設ける構成について述べたが、これに限定されるものではない。洗浄水供給部及び拡散部を複数対設ける構成とすることも可能である。この場合、汚水収容部２０１の上面の２箇所それぞれに洗浄水供給部を設け、それぞれの洗浄水供給部の下方に拡散部を設ける構成とすることができる。汚水収容部２０１の上面において洗浄水供給部を設ける箇所は、例えば、一方の洗浄水供給部の設置箇所を汚水収容部２０１の水平方向中央とし、他方の洗浄水供給部の設置箇所を汚水収容部２０１の水平方向中央から偏った位置であって、底板２１６が高い位置としてもよいし、両方の洗浄水供給部の設置箇所を汚水収容部２０１の水平方向中央から偏った位置であって、底板２１６が高い位置としてもよい。
【００５７】
図１０は、他の実施の形態に係る汚水回収装置の構成の一例を示す正面断面図である。図１０に示す汚水回収装置では、２対の洗浄水供給部及び拡散部を備えている。１対の洗浄水供給部４０６ａ及び拡散部４１２ａは、汚水収容部４０１の上板の左右方向中央位置に取り付けられる。もう１対の洗浄水供給部４０６ｂ及び拡散部４１２ｂは、汚水収容部４０１の左側壁に取り付けられる。つまり、洗浄水供給部４０６ｂは、汚水収容部４０１の左側壁に、左右方向に貫通するように取り付けられる。噴射ノズル４１１ｂは、左側壁から右方に突出しており、右方へ洗浄水を噴射可能である。噴射ノズル４１１ａは、噴射ノズル４１１ｂの右方に設けられ、噴射ノズル４１１ｂの噴射方向と垂直に配置される。
【００５８】
洗浄水供給部４０６ａに設けられた噴射ノズル４１１ａから噴射された洗浄水は、水平に配置された拡散部４１２ａに衝突して水平方向へ放射状に拡散し、これによって汚水収容部４０１の内壁に付着した生コンクリートが除去される。また、噴射ノズル４１１ｂから噴射された洗浄水は、拡散部４１２ｂに衝突して鉛直方向へ放射状に拡散する。拡散部４１２ｂは、汚水収容部４０１の左側に配置されているため、洗浄水は汚水収容部４０１の左側部分で拡散される。底板４１６は、右へ向かうにしたがって低くなるように傾斜しており、その底板４１６の高い位置に、拡散部４１２ｂによって拡散された洗浄水が供給される。このため、洗浄水供給部４０６ｂから供給された洗浄水が底板４１６を右方へと流れ、この流れによって、底板４１６に堆積した生コンクリートの排出が促進される。また、この場合、拡散部４１２ｂによって広範囲に洗浄水が拡散されるため、底板４１６の全面にわたって洗浄水の流れが形成され、底板４１６の全面から生コンクリートを排出することができる。
【００５９】
また、洗浄水供給部４０６ｂ及び拡散部４１２ｂに代えて、低い水圧で洗浄水を供給する洗浄水供給部を汚水収容部４０１の左側壁、即ち、底板４１６が高い位置に設けることも可能である。この洗浄水供給部により供給される洗浄水が底板４１６を右方へと流れることで、底板４１６に堆積した生コンクリートの排出が促進される。
【００６０】
また、上述した実施の形態においては、板状の拡散部２１２を水平に延びるように配置する構成について述べたが、これに限定されるものではない。拡散部２１２を水平方向に対して傾斜させて配置する構成とすることも可能である。拡散部２１２を傾斜させることにより、傾斜した方向に多くの洗浄水を導くことができる。このため、例えば生コンクリートの付着量が多い左側内壁又は前側内壁に向けて拡散部２１２を傾斜させることで、これらの内壁に付着した生コンクリートを効率的に除去することができる。
【００６１】
また、上述した実施の形態においては、拡散部２１２を一部が欠落した円形の板状としたが、これに限定されるものではない。拡散部２１２の上面を欠落部がない円形としてもよい。また、四角形、三角形等、円形以外の形状としてもよい。
【００６２】
また、上述した実施の形態においては、汚水受ホッパ１１２と汚水収容部２０１との間をホース１１３で連結し、汚水受ホッパ１１２からホース１１３を通じて汚水収容部２０１に汚水を導出する構成について述べたが、これに限定されるものではない。下側が開口した汚水受ホッパをシュート１１１の先端に取り付け、その汚水受けホッパの直下に上面が開口した汚水収容部を配置し、汚水受ホッパから直接汚水収容部に汚水を排出する構成としてもよい。
【００６３】
また、上述した実施の形態においては、噴射ノズル２１１及び拡散部２１２、並びに汚水導入用のホース１１３の開口端を、汚水収容部２０１の内部において、水平方向中央から左側に偏った位置に配置する構成について述べたが、これに限定されるものではない。噴射ノズル２１１及び拡散部２１２と汚水導入用ホース１１３の開口端とを、近接した位置に配置することもできるし、離れた位置に配置することもできる。ただし、効率的に洗浄するためには、噴射ノズル２１１及び拡散部２１２を、汚水導入用ホース１１３の開口端に近接した位置に配置することが好ましい。また、噴射ノズル２１１及び拡散部２１２、又は汚水導入用のホース１１３の開口端を、水平方向中央等、上記以外の位置に配置することも可能である。
【００６４】
また、上述した実施の形態においては、底板２１６を左側が高く、右側が低くなるように傾斜させ、底板２１６が高い左側の位置に噴射ノズル２１１及び拡散部２１２を配置した構成について述べたが、これに限定されるものではない。底板２１６を傾斜させずに水平に配置してもよいし、底板２１６を傾斜して配置し、底板２１６が低い位置、又は中央位置に噴射ノズル２１１及び拡散部２１２を配置してもよい。ただし、効率的に洗浄するためには、底板２１６を傾斜して配置し、底板２１６が高い位置に噴射ノズル２１１及び拡散部２１２を配置することが好ましい。
【００６５】
また、上述した実施の形態においては、底板２１６をV字状に屈曲させた構成について述べたが、これに限定されるものではない。U字状など、他の形状に湾曲させてもよいし、平板としてもよい。ただし、汚水の排出効率の観点では、V字状又はU字状などに底板２１６を曲げることが好ましい。
【産業上の利用可能性】
【００６６】
本発明の汚水回収装置及び汚水回収方法は、ミキサー車におけるシュートに付着した生コンクリート等を洗浄したときに発生する汚水を回収する汚水回収装置及び汚水回収方法として有用である。
【符号の説明】
【００６７】
１００  ミキサー車
１１０  ミキシングドラム
１１１  シュート
１１２  汚水受ホッパ
１１３  汚水導入用ホース
１１４  タンク
１１５  ポンプ
１５０  シャーシフレーム
２００  汚水回収装置
２０１  汚水収容部
２０２  点検窓
２０３  蓋
２０６  洗浄水供給部
２０８  汚水排出部
２０９  バタフライ弁
２１１  噴射ノズル
２１２  拡散部
２１３  支持部
２１６  底板
３２０  強制排出部
３２１  噴射ノズル
【図１】
2017030260.tif 000003
【図２】
2017030260.tif 000004
【図３】
2017030260.tif 000005
【図４】
2017030260.tif 000006
【図５】
2017030260.tif 000007
【図６】
2017030260.tif 000008
【図７】
2017030260.tif 000009
【図８】
2017030260.tif 000010
【図９】
2017030260.tif 000011
【図１０】
2017030260.tif 000012